(57)【要約】【課題】ラインストーンが耐久性良く取り付けられ、しかもラインストーンの傾きが抑制された装飾カーペットの提供。【解決手段】パイル基材（１）と前記パイル基材に取り付けられたラインストーン（２）とを有し、前記ラインストーンがリング状枠体（３）に固定されてなるラインストーン担持体（２−１）として前記パイル基材（１）に装着されたもので、前記リング状枠体（３）が周縁部より突設された３〜１０本のスパイク部（３−１）を有し、前記パイル基材が基布層（１−１）と、前記基布層に打ち込まれたパイル糸からなるパイル層（１−２）、およびパイル層に設けられたパイル陥没部（１−３）とを含み、前記ラインストーン担持体（２−１）が、パイル陥没部（１−３）に、接着層（４）を介して前記パイル層（１−２）の表面から突出しないように固定され、かつ、前記スパイク部（３−１）が前記基布層（１−１）に挿入されるようにする。【選択図】図１
2016106862.tif 000002
【特許請求の範囲】
【請求項１】
パイル基材（１）と前記パイル基材に取り付けられたラインストーン（２）とを有し、前記ラインストーンがリング状枠体（３）に固定されてなるラインストーン担持体（２−１）として前記パイル基材（１）に装着されたもので、前記リング状枠体（３）が周縁部より突設された３〜１０本のスパイク部（３−１）を有し、
前記パイル基材が基布層（１−１）と、前記基布層に打ち込まれたパイル糸からなるパイル層（１−２）、およびパイル層に設けられたパイル陥没部（１−３）とを含み、
前記ラインストーン担持体（２−１）が、パイル陥没部（１−３）に、接着層（４）を介して前記パイル層（１−２）の表面から突出しないように固定され、かつ、前記スパイク部（３−１）が前記基布層（１−１）に挿入されていることを特徴とする、装飾カーペット。
【請求項２】
前記リング状枠体（３）が、開口部（３−２）を有するリング状の枠部（３−３）と、前記枠部（３−３）の周縁部から突設された３〜１０本のスパイク部（３−１）とを有し、前記開口部（３−２）、前記枠部（３−３）、および前記ラインストーン（２）がそれぞれ略同形状であり、その大きさが、枠部（３−３）＞ラインストーン（２）＞開口部（３−２）、である、請求項１に記載の装飾カーペット。
【請求項３】
前記リング状枠体（３）が、前記枠部（３−３）の周縁部から突設された、３〜１０本のスパイク部（３−１）と３〜１２本の爪部（３−４）とを有し、それぞれの長さがスパイク部（３−１）＞爪部（３−４）であり、前記ラインストーン（２）が前記爪部（３−４）と前記枠部（３−３）とで挟持されている、請求項１または２に記載の装飾カーペット。
【発明の詳細な説明】
【技術分野】
【０００１】
本発明は、ラインストーンが取り付けられた装飾カーペットに関するものである。さらに詳しく述べるならば、ラインストーンがパイル基材に強固に取り付けられていることで、人が踏んだり、歩行したりする際に受ける圧力や摩擦、掃除や洗浄時の屈曲などに対して、ラインストーンの脱落が起こりにくく耐久性に優れ、しかも、取り付けられたラインストーンの傾きが抑制された装飾カーペットに関するものである。
【背景技術】
【０００２】
近年、衣料、携帯電話、ネイルアートなどの分野で、クリスタルガラス、樹脂ビーズ、天然石などからなるラインストーンを、表面に固定する装飾法が行われている。しかし、これらは、比較的平坦な面上に、接着剤や両面テープによってラインストーンを固定する方法であり、カーペットの様に表面にパイル層を有する物品に、接着剤や両面テープでラインストーンを固定しようとしても、パイル糸の毛先と接着剤との間に充分な接触面積を得ることができずに、固定強度が不足して使用中に簡単に脱落してしまう問題があった。また、接着剤で固定するためにラインストーンを押し付ける際にパイルの毛先が負けてしまい、毛先の長いカットパイルの場合は特に、位置がずれたり、大きく傾いた状態で取り付けられてしまいデザインが損なわれる問題もあった。
【０００３】
この問題に対して、金属性のピンの頭部にラインストーンを固定し、そのピンをカーペットのパイル面側から突き刺して、裏側に抜け出たピン先を留め具に圧入し、かしめて固定する方法が開示されている。（特許文献１参照）この方法によれば、カーペットにラインストーンを固定する事が可能となる。しかし、パイルの毛足の長さに応じてピンの長さを変えなければいけないため汎用性を欠き、フローリングや畳の上に敷く場合には裏側の留め具が床面を傷つけることがあり、更に、使用中に受ける圧力や摩擦、屈曲などによりピンが抜けたり、折れたりして脱落し易く、脱落したピンが人体を傷つける懼れがあった。また、１本のピンで取り付けるため、使用中に受ける圧力や摩擦によりラインストーンが傾きやすく、特にパイルの毛足が長いカーペットの場合、見栄えが悪くなることがあった。
【０００４】
以上の様に、パイル面の所望の位置に、ラインストーンが強固に取り付けられ、しかもラインストーンの傾きが抑制されたカーペットは、現在までのところ提案されていない。
【先行技術文献】
【特許文献】
【０００５】
【特許文献１】特開２００７−２６１４７９号公報
【発明の概要】
【発明が解決しようとする課題】
【０００６】
本発明は、上記従来技術の課題を解決し、パイル面にラインストーンが強固に取り付けられて、使用中に脱落しにくく、しかもラインストーンの傾きが抑制された装飾カーペットを提供しようとするものである。
【課題を解決するための手段】
【０００７】
本発明者らは、上記課題を解決するため鋭意検討を行った結果、カーペットのパイル上へのラインストーン取り付けにおいて、複数のスパイク部が突設されたリング状の枠体にあらかじめラインストーンを担持させたラインストーン担持体として、接着層を介してパイル上に取り付けることにより、固定されたラインストーンが傾きにくいこと、および、ラインストーンがパイル面から飛び出さない様、パイル陥没部にラインストーン担持体を取り付け、かつ、上述のスパイク部がパイル基布に挿入されることで、初期だけでなく使用中の圧力や摩擦によってもラインストーンが傾きにくく、しかも強固に固定されることを見出し、本発明を完成するに至った。
【０００８】
すなわち本発明の装飾カーペットは、パイル基材（１）と前記パイル基材に取り付けられたラインストーン（２）とを有し、前記ラインストーンがリング状枠体（３）に固定されてなるラインストーン担持体（２−１）として前記パイル基材（１）に装着されたもので、前記リング状枠体（３）が周縁部より突設された３〜１０本のスパイク部（３−１）を有し、前記パイル基材が基布層（１−１）と、前記基布層に打ち込まれたパイル糸からなるパイル層（１−２）、およびパイル層に設けられたパイル陥没部（１−３）とを含み、前記ラインストーン担持体（２−１）が、パイル陥没部（１−３）に、接着層（４）を介して前記パイル層（１−２）の表面から突出しないように固定され、かつ、前記スパイク部（３−１）が前記基布層（１−１）に挿入されていることを特徴とする。
【０００９】
本発明の装飾カーペットにおいて前記リング状枠体（３）が、開口部（３−２）を有するリング状の枠部（３−３）と、前記枠部（３−３）の周縁部から突設された３〜１０本のスパイク部（３−１）とを有し、前記開口部（３−２）、前記枠部（３−３）、および前記ラインストーン（２）がそれぞれ略同形状であり、その大きさが、枠部（３−３）＞ラインストーン（２）＞開口部（３−２）、であることが好ましい。
【００１０】
本発明の装飾カーペットにおいて、前記リング状枠体（３）が、前記枠部（３−３）の周縁部から突設された、３〜１０本のスパイク部（３−１）と３〜１２本の爪部（３−４）とを有し、それぞれの長さがスパイク部（３−１）＞爪部（３−４）であり、前記ラインストーン（２）が前記爪部（３−４）と前記枠部（３−３）とで挟持されていることが好ましい。
【発明の効果】
【００１１】
本発明によれば、ラインストーンが傾くことなく強固にパイル上に固定された装飾カーペットを得ることができる。本発明の装飾カーペットは、人が踏んだり、歩行したりする際に受ける圧力や摩擦、掃除や洗浄時の屈曲などに対して、ラインストーンが脱落したり傾いたりしにくく、裏側に留め具等を有さないため、フローリングや畳など傷つきやすい床面上で用いても、床面を傷つける懼れがない。
【図面の簡単な説明】
【００１２】
【図１】本発明におけるラインストーン担持体の取り付け部の１例を示す図
【図２】本発明のリング状枠体の１例を示す図
【図３】本発明のラインストーン担持体の１例を示す図
【図４】実施例・比較例におけるラインストーンの配置を示す図
【発明を実施するための形態】
【００１３】
本発明の装飾カーペットは、パイル基材（１）とパイル基材に取り付けられたラインストーン（２）とを有するカーペットであり、ラインストーンはリング状枠体（３）に固定されたラインストーン担持体（２−１）としてパイル基材に装着されたものである。パイル基材は、基布層（１−１）と、基布層に打ち込まれたパイル糸からなるパイル層（１−２）、およびパイル層に設けられたパイル陥没部（１−３）とを含み、リング状枠体（３）は周縁部より複数のスパイク部（３−１）を有する。ラインストーン担持体（２−１）は、パイル陥没部（１−３）に、接着層（４）を介して、パイル層（１−２）の表面から突出しないように固定されており、スパイク部（３−１）は基布層（１−１）に挿入されている。（図１参照）
【００１４】
本発明において、基布層（１−１）には特に限定は無く、織布、編布、および不織布などが用いられ、これらを構成する繊維としては、綿や麻などの天然繊維、ポリエステル繊維、ナイロン繊維、ポリプロピレン繊維、ポリエチレン繊維などの合成繊維、レーヨン、キュプラ、アセテートなどの半合成繊維、およびガラス繊維などの無機繊維などから適宜選択して用いることができる。
【００１５】
本発明において、パイル層（１−２）を構成するパイル糸には特に限定は無く、ポリプロピレン繊維、ポリアミド繊維、ポリエステル繊維、アクリル繊維、およびウール、など、従来よりカーペットのパイルとして用いられる繊維から適宜選択して用いることができ、これらの繊維からなるパイル糸を、タフティングして基布層（１−１）に打ち込むことでパイル層（１−２）が形成される。この際、パイルの毛先はループパイルであってもカットパイルであってもよい。
【００１６】
本発明のパイル基材（１）は、基布層（１−１）にパイル糸をタフティングしてパイル層（１−２）を形成した後に、パイル糸を固定するため、裏面（パイル層とは反対面側）にプレコート層（１−４）を設けることが好ましく、さらに、強度を増し、寸法安定性を高め、カーペットと床面との滑りを抑えるためのバッキング層（１−５）を設けることが好ましい。また、直接バッキング層（１−５）を設けてプレコート層を兼ねることも可能である。プレコート層（１−４）、バッキング層（１−５）の素材及び形成方法には、特に限定は無く、例えば、天然ゴム、合成ゴムからなるラテックスエマルジョンを塗布・乾燥して形成したり、ポリ塩化ビニル樹脂と可塑剤を含む組成物からなるゾルを塗布してから熱処理によりゲル化させたり、熱可塑性樹脂や熱可塑性エラストマーからなるシートをＴダイスにて成型し、溶融状態のまま圧着積層するなどして形成することができる。
【００１７】
本発明において、パイル陥没部（１−３）の形成方法にも特に限定は無く、例えば、タフティング時に毛足の長いパイル部分と毛足の短いパイル部分を設けることで形成したり、均一な長さでタフティングしたパイルの一部をレーザーや専用の工具で彫刻して形成したり、熱可塑性の合成繊維からなるパイル糸を熱鏝によって溶融させて形成するなどの方法を例示することができる。パイル陥没部（１−３）の形状にも特に限定は無く、所望のデザインに応じて陥没孔状に形成してもよく、陥没溝状に形成してもよい。陥没部内壁はパイル層（１−２）から基布層（１−１）にかけて垂直に形成されてもよく、陥没部の径や幅が上部（入口）から底部にかけて徐々に狭くなる斜面状であってもよい。パイル陥没部（１−３）の上部（入口）の大きさ（陥没部を俯瞰した場合の陥没孔入口の直径、あるいは陥没溝上部の幅）は、ラインストーン担持体（２−１）の長径（ラインストーン担持体を取り付けた状態で俯瞰した時に、差し渡しの長さで最も長い部分：図１のΦ）と同じであるか、あるいは大きいことが好ましい。具体的には、陥没孔入口の直径、あるいは陥没溝上部の幅が、ラインストーン担持体（２−１）の長径以上であり、かつ、長径の４倍以下であることが好ましい。パイル陥没部（１−３）の底部の形状には特に限定は無いが、より強い接着を得るためには略平坦な形状であることが好ましい。パイル陥没部（１−３）の底部が略平坦である場合、陥没孔底部の直径、あるいは陥没溝底部の幅は、ラインストーン担持体（２−１）の長径（図１のΦ）以上であり、かつ、長径の３倍以下であることが好ましい。パイル陥没部（１−３）の深さは、パイル陥没部（１−３）にラインストーン担持体（２−１）を固定した際に、パイル層（１−２）の表面からラインストーン（２）が突出せず、かつ、スパイク部（３−１）を基布層（１−１）に挿入することができる様、適宜調整すればよい。
【００１８】
本発明においてラインストーン（２）とは、ガラス製、合成樹脂（例えばアクリル樹脂、エポキシ樹脂、およびＵＶ硬化樹脂）製、金属（例えばアルミニウム、銅、銀、鉄、真鍮、およびステンレス）製、各種天然石（水晶、アメジスト、ルビーなど天然に産する宝石）・人工石（天然石と同じ成分で人工的に合成した石）製、および、人造石（キュービックジルコニアなど、天然には産しない成分からなる模造宝石）製から選択された１種以上からなる装飾部材であり、これらは、無色透明、有彩色透明、有彩色不透明の何れであっても良い。透明な素材を用いる場合には、これらに、部分的（通常は裏面）にアルミニウム、銅などの金属を蒸着して輝きを増した、いわゆるフォイルバックのラインストーンを用いても良く、また、特に合成樹脂製のラインストーンの場合、ラインストーンを形成する合成樹脂に顔料、蓄光顔料、蛍光顔料などを含有させてもよい。ラインストーン（２）の大きさには特に制限は無いが、長径（ラインストーンを俯瞰した時に、差し渡しの長さで最も長い部分）１〜３０ｍｍ、高さ（ラインストーンを横から見た時に、頂点から底部までの長さ）１〜１２ｍｍであることが好ましい。ラインストーン（２）の形状にも特に限定は無く、宝石の様に切子面を持たせたファセットカット形状、球形、卵形、そろばん玉型、ハート型、星型など、所望の形状から適宜選択して用いる事ができ、これらの１面（装飾した際に底面に相当する面）が平らに成型された形状としてもよい。ここで、１面を平らに成型とは、例えば、ファセットカット形状の上部（クラウン部分）のみを模して、裏側を平らにカットした形状などを例示することができ、この際、カット面に、アルミニウム、銅などの金属を蒸着したものを用いれば、より光輝性の高い装飾効果を得ることができる。
【００１９】
本発明においてリング状枠体（３）は、周縁部から突設された３〜１０本のスパイク部（３−１）を有するものである。具体的には、図２の様に、開口部（３−２）を有するリング状の枠部（３−３）と、枠部周縁部から突設されたスパイク部（３−１）とを有するものであることが好ましい。また、スパイク部（３−１）は、枠部（３−３）に対して、図１の様にパイル基材（１）にラインストーン担持体（２−１）を取り付ける際に下側となる方向に向けて突設され、ラインストーン担持体（２−１）がパイル基材に固定された状態ではスパイク部（３−１）は基布層（１−１）に挿入されている必要がある。開口部（３−２）および枠部（３−３）は、用いるラインストーン（２）と略同形状であり、その大きさは、枠部（３−３）＞ラインストーン（２）＞開口部（３−２）である。開口部（３−２）の大きさは、ラインストーン（２）がすり抜けない程度に、ラインストーン（２）より小さく、具体的には、上述のラインストーン（２）の長径に対して、７５〜９５％であることが好ましい。また、枠部（３−３）の大きさはラインストーン（２）より大きく、具体的には、ラインストーン（２）の長径に対して１０５〜１２５％であることが好ましい。スパイク部（３−１）の長さは、２〜１０ｍｍであることが好ましい。本発明において、リング状枠体（３）を構成する材料には特に限定は無いが、金、銀、銅、プラチナ、アルミニウム、鉄、錫、ニッケル、亜鉛などの金属やこれらを含む合金から適宜選択して用いることができる。
【００２０】
本発明においてリング状枠体（３）には更に、枠部周縁部から上述のスパイク部（３−１）と同方向に向けて突設された３〜１２本の爪部（３−４）を有することが好ましく、爪部（３−４）の長さは０．５〜４ｍｍであり、かつスパイク部（３−１）より短いことが好ましい。爪部（３−４）は、リング状枠体（３）にラインストーン（２）を固定するために用いることができる。すなわち、図３の様に、リング状枠体（３）の開口部（３−２）よりもやや大きなサイズのラインストーン（２）を、リング状枠体（３）の爪部（３−４）の側から挿入して、爪部（３−４）をラインストーン（２）の側に折り曲げることで、枠部（３−３）と折り曲げた爪部（３−４−１）とで挟持して、ラインストーン（２）がリング状枠体（３）に固定される。
【００２１】
本発明において接着層（４）は、短時間で硬化する接着性樹脂により形成されることが好ましく、例えば、ホットメルト系接着剤、活性エネルギー線（紫外線、電子線）硬化接着剤、および、湿気硬化型接着剤（瞬間接着剤）は、接着処理後に乾燥や硬化に時間を要さない点から作業性に優れ、特に好ましく用いる事ができる。ここで、ホットメルト接着剤としては、変性ポリオレフィン系、ＥＶＡ系、および、ポリアミド系を例示することができ、活性エネルギー線硬化接着剤としては、アクリル系、不飽和ポリエステル系、エポキシ系、ビニルエーテル系を例示する事ができ、湿気硬化型接着剤としては、シアノアクリレート系、および、シリコーンゴム系を例示することができる。
【実施例】
【００２２】
以下、本発明について、実施例・比較例を挙げて具体的に説明するが、本発明はこれに限定されるわけではない。
【００２３】
実施例、比較例において、パイル基材（１）として以下構成のラグマット（長さ１ｍ、幅５０ｃｍ）を使用した。
＜パイル基材（１）＞
基布層（１−１）：ポリエステル繊維製スパンボンド不織布
（目付け１００ｇ／ｍ２）
パイル層（１−２）：ポリプロピレン繊維糸からなるパイル糸
（カットパイル：目付け１８００ｇ／ｍ２）
（パイル長：１０ｍｍ）
プレコート層（１−４）：ＳＢＲラテックスエマルジョン塗布
（乾燥付着量１５０ｇ／ｍ２）
バッキング層（１−５）：オレフィン系熱可塑性エラストマー
（厚さ１．１ｍｍ、質量１３００ｇ／ｍ２）
Ｔダイス押し出しシートを、溶融状態のままプレコート層（１
−４）に圧着積層。
【００２４】
［実施例１］
１）ラインストーン担持体（２−１）
実施例１において以下構成のラインストーン担持体（２−１）を用いた（図３参照）
ラインストーン（２）：スワロフスキー社製  ＃２０２８  ＳＳ３４
俯瞰した形状が直径７．２ｍｍの略円形。
ファセットカット形状の上部（クラウン部分）のみを模して
裏側が平らな形状を有し、裏面にアルミニウム蒸着を施した
１４面カットのクリスタルガラス製。
リング状枠体（３）：取付け後に上部（前面側）から見た直径（Φ）８．５ｍｍの
円形の枠部（３−３）が、直径６．５ｍｍの円形の開口部（３
−２）と、枠部周縁部から同方向に交互に突設された長さ３ｍ
ｍのスパイク部(３−１)４本と、長さ１ｍｍの爪部（３−４）
４本とを有する。
※ラインストーン（２）の上部（クラウン部分）を、リング状枠体（３）の爪部（３
−２）側から開口部（３−２）に向けて挿入し、爪部（３−４）をラインストーン
（２）側に折り曲げ、枠と折り曲げた爪部（３−４−１）とで挟持して固定。
２）パイル陥没部（１−３）の形成  
レーザー彫刻によりパイル糸をカットし、直径１２ｍｍ、深さ８ｍｍで垂直な壁面を
有する円形の陥没孔状のパイル陥没部（１−３）を形成した。
パイル陥没部（１−３）の底面は略平坦であり、底面の直径も１２ｍｍであった。
３）ラインストーン担持体（２−１）のパイル基材（１）への取り付け
１４０℃で溶融させた変性オレフィン系ホットメルト接着剤（商品名：アロンメルト
ＰＰＥＴ１２０１／東亞合成社製）をパイル陥没部（１−３）の底部に塗布し、速や
かに、ラインストーン担持体（２−１）を、図１の様にスパイク部（３−１）を下に
パイル陥没部（１−３）に挿入し、押圧して接着した。
固定後、ラインストーン（２）はパイル層（１−２）から突出しておらず、スパイク
部（３−１）は、先端から１ｍｍまで基布層（１−１）に挿入されていた。
同様にして、計１７個のラインストーン担持体（２−１）を、図４の様にＨ型に、ラ
グマットの中央に配置した。
【００２５】
実施例１により得た装飾カーペットは、Ｈ型の模様がきれいに形成され、かつ、ラインストーン（２）の傾きが少なく取り付けられていた。ラインストーン担持体（２−１）は、パイル基材（１）に強固に固定されており、この装飾カーペットを、フローリングの床面上に敷き、体重６５ｋｇの男性が、固定部分を踏むようにして１分間あたり８０回のペースで１５分間足踏みし、これを１０セット繰り返す足踏み試験を行ったところ、ラインストーン担持体（２−１）は一つも脱落しておらず、しかも、ラインストーン（２）に目立った傾きは生じていなかった。また、足踏み試験後にフローリングの床面を確認したが、傷は全く付いていなかった。
【００２６】
［比較例１］
パイル陥没部（１−３）を設けず、ラインストーン担持体（２−１）の代わりにラインストーン（２）を、パイル表面に直接固定した以外は実施例１と同様にして比較例１の装飾カーペットを得た。固定後、１７個のラインストーン（２）は全てパイル層（１−２）から突出していた。
【００２７】
比較例１の装飾カーペットは、スパイク部（３−１）を有するラインストーン担持体（２−１）を用いなかったため、それぞれのラインストーン（２）がばらばらに傾いていた。また、接着のために押圧した際にパイル糸の毛先が負けてずれを生じ、正確な位置に取り付ける事ができず、Ｈ型の模様が乱雑に崩れていた。この装飾カーペットを、実施例１で行ったのと同じ足踏み試験に供したところ、４セット目で２つのラインストーン（２）が脱落し、１０セット終了した段階では８個が脱落してしまった。
【００２８】
［比較例２］
ラインストーン担持体（２−１）の代わりにラインストーン（２）を、パイル陥没部（１−３）の底部に取り付けた以外は、実施例１と同様にして比較例２の装飾カーペットを得た。固定後、ラインストーン（２）はパイル層（１−２）から突出していなかった。
【００２９】
比較例２の装飾カーペットは、スパイク部（３−１）を有するラインストーン担持体（２−１）を用いなかったため、それぞれのラインストーン（２）がばらばらに傾いていた。この装飾カーペットを、実施例１で行ったのと同じ足踏み試験に供したところ、７セット目で１つのラインストーン（２）が脱落し、１０セット目が終了した段階では３個が脱落していた。ラインストーンがパイル陥没部（１−３）に固定され、パイル層（１−２）から突出していなかったため、耐久性は比較例１より向上していたが、スパイク部（３−１）を有するラインストーン担持体（２−１）ではなかったため、実施例１に比べて劣っていた。
【００３０】
［比較例３］
パイル陥没部（１−３）を設けなかった以外は実施例１と同様にして、比較例３の装飾カーペットを得た。固定後、それぞれのラインストーン担持体（２−１）はパイル層（１−２）から突出しており、スパイク部（３−１）は基布層（１−１）に挿入されていなかった。
【００３１】
比較例３の装飾カーペットは、比較例１および２よりラインストーン（２）の傾きが少ないものの、実施例１に比べれば傾いていた。この装飾カーペットを、実施例１で行ったのと同じ足踏み試験に供したところ、６セット目で一つのラインストーン担持体（２−１）が脱落し、１０セット目が終了した段階では３個が脱落していた。ラインストーン担持体（２−１）がパイル陥没部（１−３）に固定されず、ラインストーン担持体（２−１）がパイル層（１−２）から突出しており、しかもスパイク部(３−１)が基布層（１−１）に挿入されれていなかったため、耐久性が実施例１より劣っていた。また、足踏み試験後に残ったラインストーン（２）を観察したところ、傾きが試験前より大きくなっていた。
【産業上の利用可能性】
【００３２】
本発明によれば、ラインストーンが耐久性良く取り付けられた装飾カーペットを提供することが可能となる。本発明の装飾カーペットは、歩行などの際に受ける圧力や摩擦、掃除や洗浄時の屈曲などに対して、ラインストーンの脱落が起こりにくく、しかも、取り付けたラインストーンの傾きが抑制されて装飾効果に優れるため、特にカーマット、オフィス・家庭向けの屋内用カーペット、ラグマット、および玄関マットなどに好適に用いることができる。
【符号の説明】
【００３３】
１：パイル基材
１−１：基布層
１−２：パイル層
１−３：パイル陥没部
１−４：プレコート層
１−５：バッキング層
２：ラインストーン
２−１：ラインストーン担持体
３：リング状枠体
３−１：スパイク部
３−２：開口部
３−３：枠部
３−４：爪部
３−４−１：折り曲げた爪部
４：接着層
５：装飾カーペット
【図１】
2016106862.tif 000003
【図２】
2016106862.tif 000004
【図３】
2016106862.tif 000005
【図４】
2016106862.tif 000006